(57)【要約】【課題】空気調和機の本体に内蔵されたフィルタ清掃部のブラシがフィルタのごみを除去する構造とするとともに、集塵ボックス内に着脱自在で、且つ、廃棄可能な紙などのごみ収容容器を設け、集塵ボックス内に溜まったごみ清掃時の手間を省くことができ、衛生性を高めた空気調和機を提供する。【解決手段】集塵ボックス（支持部材）１３ａ内に、紙などの材料により形成したごみ収容容器１６を着脱自在に装着できるようにしているもので、フィルタ５の空気の吸込側である上面にごみが付着するので、集塵ボックス（支持部材）１３ａの上部を構成するトップカバー１９内にごみ収容容器１６を装着している。また、ごみ収容容器１６の開口部１６ｂを、第２清掃ブラシ１８によって除去されたごみの移動方向の第２清掃ブラシ１８側で、フィルタ５の引出方向と反方向の位置に設置し、第２清掃ブラシ１８によって除去されたごみを収容するようにしている。【選択図】  図３
2004347245.tif 000002
【特許請求の範囲】
【請求項１】
本体に設けられた吸込口と吹出口とを結ぶ空気通路に、除塵用のフィルタと、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、同ブラシを支持する支持部材からなるフィルタ清掃装置とを設けるとともに、
前記支持部材に、前記ブラシによって除去された塵埃を収容する容器を着脱自在に装着してなることを特徴とする空気調和機。
【請求項２】
前記容器の開口部を、前記ブラシ側で、前記フィルタの引出方向と反方向の位置に設置してなることを特徴とする請求項１または２に記載の空気調和機。
【発明の詳細な説明】
【０００１】
【発明の属する技術分野】
本発明は、空気調和機に係わり、より詳細には本体に内蔵されたフィルタ清掃部に備えられたブラシがフィルタのごみを除去するものであって、集塵ボックス（支持部材）内に回収したごみを容易に廃棄するための構造に関する。
【０００２】
【従来の技術】
従来の空気調和機は、例えば本体の前面から上面にかけて設けられた吸込口と本体の下部に設けられた吹出口とを結ぶ空気通路に、フィルタと熱交換器と送風機とフィルタ清掃装置を備えた空気調和機において、フィルタを本体筐体の吸込口の内側に沿って回動させる回動手段と、フィルタ上のごみを除去するごみ除去手段とごみ収納部とから構成されるフィルタ清掃装置を備え、複雑に折れ曲がったフィルタ上のごみを自動的に清掃する機能付きの空気調和機がある（例えば、特許文献１参照。）。
【０００３】
また、特願２００２−１８７７０８に記載されているように、本体内に、フィルタを本体の内外に向けて往復的に移動させるスライド手段と、フィルタの移動経路に沿ってフィルタと接触するように配置されたフィルタ清掃部を設けた構造としたものがある。そしてこのフィルタ清掃部は、フィルタの一方の面のごみを除去する第１清掃ブラシを有するボトムカバーと、同ボトムカバーに開閉可能に取付られ、フィルタの他方の面のごみを除去する第２清掃ブラシを有するトップカバーとを備えた集塵ボックス（支持部材）から構成されている。
【０００４】
しかしながら、いずれの従来例においても、フィルタ上に溜まったごみをブラシなどで掻き出して除去する構造であり、ごみ収納部や集塵ボックス（支持部材）内に収容したごみを廃棄する時、ごみ収納部や集塵ボックス（支持部材）内に付着したごみの清掃に手間がかかり、また、手が汚れる恐れのある問題点を有していた。
【０００５】
【特許文献１】
特開２００２−５５０４号公報（第１頁、第１図）
【０００６】
【発明が解決しようとする課題】
本発明においては、上記の問題点に鑑み、空気調和機の本体に内蔵されたフィルタ清掃部のブラシがフィルタのごみを除去する構造とするとともに、集塵ボックス（支持部材）内に着脱自在で、且つ、廃棄可能な紙などのごみ収容容器を設け、集塵ボックス（支持部材）内に溜まったごみ清掃時の手間を省くことができ、衛生性を高めた空気調和機を提供することを目的とする。
【０００７】
【課題を解決するための手段】
本発明は、上記問題点を解決するため、本体に設けられた吸込口と吹出口とを結ぶ空気通路に、除塵用のフィルタと、送風ファンとを夫々配置してなる空気調和機において、
前記本体内に、前記フィルタを往復的に移動させるスライド手段と、前記フィルタの移動経路に沿って前記フィルタと接触するように配置され、前記フィルタの表面を清掃するブラシと、同ブラシを支持する支持部材からなるフィルタ清掃装置とを設けるとともに、
前記支持部材に、前記ブラシによって除去された塵埃を収容する容器を着脱自在に装着した構成となっている。
【０００８】
前記容器の開口部を、前記ブラシ側で、前記フィルタの引出方向と反方向の位置に設置してなる。
【０００９】
【発明の実施の形態】
以下、本発明の実施の形態を、添付図面に基づいた実施例として説明する。図１は本発明による空気調和機の概略構成を示す要部断面図であり、図２は本発明による空気調和機のフィルタを本体外に引き出した状態を示す要部断面図であり、図３は本発明によるフィルタ清掃装置を示す要部拡大断面図であり、図４は本発明による一実施例のごみの廃棄を示す要部拡大断面図である。
なお、従来と同じ部分の符号は同一とする。
【００１０】
図１および図２において、１は空気調和機の本体、２は本体１の前面から上面にかけて形成された吸込口、３は本体１の下部に形成された吹出口である。吸込口２と吹出口３を結ぶ空気通路４には、空気中の粗ごみを取り除くフィルタ５と送風機６、熱交換器７が配置されている。熱交換器７は、ドレンパン８の上部に配置された略垂直部７ａと、その後方から傾斜させた傾斜部７ｂとより形成されている。
【００１１】
９はベースで、同ベース９の上端側には上面パネル１０が取り付けられ、下端側には前面パネル１１が取り付けられている。同前面パネル１１はベース９の両側板を覆うように形成された左右一対の側板を含み、ベース９に着脱可能に固定されている。前面パネル１１の前面には、フィルタ５が本体１外に引出される際に開閉される開閉パネル１２が一体的に設けられている。
【００１２】
図２で示すように、開閉パネル１２は、上端側を中心に回転可能に軸支されており、フィルタ５の往方向移動時には、他端側がフィルタ５によって持ち上げられ、フィルタ５が本体１外に引出される。フィルタ５は、上面パネル１０の吸込口２と熱交換器７との間に設けられ、熱交換器７に向かう空気中に含まれるごみを除去する。
１３はフィルタ５に付着したごみを清掃するためのフィルタ清掃装置である。
【００１３】
フィルタ清掃装置１３は、図３の要部拡大断面図で示すように、ボトムカバー１７と、トップカバー１９とからなる集塵ボックス（支持部材）１３ａを設け、フィルタ５を本体の内外に向けて往復的に移動させるスライド手段１４（駆動モータ）と、フィルタ５の一方の面のごみを除去する第１清掃ブラシ１５を有するボトムカバー１７と、フィルタ５の他方の面のごみを除去する第２清掃ブラシ１８を有するトップカバー１９とから構成されている。
【００１４】
本発明は、前記集塵ボックス（支持部材）１３ａ内に、廃棄可能な紙などの材料により形成したごみ収容容器１６を着脱自在に装着できるようにしているもので、前記フィルタ５の空気の吸込側である上面にごみが付着するので、前記集塵ボックス（支持部材）１３ａの上部を構成する前記トップカバー１９内に、前記ごみ収容容器１６を装着し、前記第２清掃ブラシ１８によって除去されたごみを収容するようにしている。
【００１５】
また、前記ごみ収容容器１６の開口部１６ｂを、前記第２清掃ブラシ１８によって除去されたごみの移動方向の前記第２清掃ブラシ１８側で、前記フィルタ５の引出方向と反方向の位置に設置し、前記第２清掃ブラシ１８によって除去されたごみを、前記ごみ収容容器１６の開口部１６ｂより収容するようにしている。
【００１６】
前記ごみ収容容器１６を着脱自在に装着する構成は、前記トップカバー１９内の上部から垂下させ、その先端を逆Ｌ字状に屈折する仕切壁１９ａを設け、第２清掃ブラシ１８の柄の部分先端に突起部１８ａを設け、前記仕切壁１９ａの屈折部１９ｂと前記突起部１８ａとの間に、前記ごみ収容容器１６に形成した凹溝部１６ａを嵌め込み、前記ごみ収容容器１６を着脱自在に、取り付け取り外しできるようにしている。
【００１７】
図４で示すように、前記ごみ収容容器１６に回収されたごみＧが一杯になった場合は、前記前面パネル１１を開け、前記トップカバー１９を外し、同トップカバー１９から前記ごみ収容容器１６を取り外し、同ごみ収容容器１６ごと廃棄し、新しいごみ収容容器１６と入れ換えるようにしている。
【００１８】
上記構成において、前記集塵ボックス（支持部材）１３ａ内に、回収されたごみＧを収容する着脱自在で、且つ、廃棄可能な紙などの材料により形成してなる前記ごみ収容容器１６を備え、回収したごみＧを前記ごみ収容容器１６ごと廃棄することにより、前記集塵ボックス（支持部材）１３ａ内に収容したごみを廃棄する時、前記集塵ボックス（支持部材）１３ａ内に付着したごみの清掃に手間がかかり、また、手が汚れる恐れのある問題点をなくすことができる。
【００１９】
【発明の効果】
以上説明したように、本発明による空気調和機によれば、空気調和機の本体に内蔵されたフィルタ清掃部のブラシがフィルタのごみを除去する構造とするとともに、集塵ボックス（支持部材）内に着脱自在で、且つ、廃棄可能な紙などのごみ収容容器を設け、集塵ボックス（支持部材）内に溜まったごみ清掃時の手間を省くことができ、衛生性を高めた空気調和機となる。
【図面の簡単な説明】
【図１】本発明による空気調和機の概略構成を示す要部断面図である。
【図２】本発明による空気調和機のフィルタを本体外に引き出した状態を示す要部断面図である。
【図３】本発明によるフィルタ清掃装置を示す要部拡大断面図である。
【図４】本発明による一実施例のごみの廃棄を示す要部拡大断面図である。
【符号の説明】
１  本体
２  吸込口
３  吹出口
４  空気通路
５  フィルタ
６  送風機
７  熱交換器
８  ドレンパン
９  ベース
１０  上面パネル
１１  前面パネル
１２  開閉パネル
１３  フィルタ清掃装置
１３ａ  集塵ボックス（支持部材）
１４  スライド手段（駆動モ─タ）
１５  第１清掃ブラシ
１６  ごみ収容容器
１６ａ  凹溝部
１６ｂ  開口部
１７  ボトムカバー
１８  第２清掃ブラシ
１８ａ  突起部
１９  トップカバー
１９ａ  仕切壁
１９ｂ  屈折部
【図１】
2004347245.tif 000003
【図２】
2004347245.tif 000004
【図３】
2004347245.tif 000005
【図４】
2004347245.tif 000006